(57)【特許請求の範囲】
【請求項１】
コ字形状に形成された、内枠（２）と一回り大きな外枠（１）とが交互に並べ重なり（図２）、軸部（５）に於いて開閉可能に連結されている（図１）、閉止する時に外枠（１）と内枠（２）との間に袋体の袋口周縁部（１０ａ）を密着状態に挟み込み、同時に外枠と外枠受け止め部（１７）の間に袋口周縁部を挟んで、袋口周縁部を直角以下にも折り曲げる（図４）ことの出来る袋口開閉枠体と、取り付け具であるクリップを一体化させ（図３）、袋口開閉枠体を該取り付け具部により猫トイレ箱周縁部（９）に取り付ける事が出来ることを特徴とする、猫トイレ箱縁立て汚物袋枠体ホルダー。
【発明の詳細な説明】
【技術分野】
【０００１】本発明は、猫トイレ箱周縁部に、袋口開閉保持枠体を取り付けることで、汚物収納袋口開閉が容易で迅速な汚物処理を可能とし、且つ袋口閉止時には、臭い漏れがしにくい汚物収納袋を設けることが出来、又処理手数も簡略でき、汚物処理の億劫心も軽減し、健康障害防止にも寄与することを可能とする、猫トイレ箱縁立て汚物袋枠体ホルダーに関する。
【背景技術】
【０００２】従来猫トイレ箱内の汚物処理は、レジ袋等のビニール系の袋を利用して、袋口を手で開いて猫トイレ用スッコプで、トイレ箱外に猫砂を零さないように注意しながら袋中に投入、投入後次回も当該袋に処理物を入れる為、袋口を軽く結んで置くだけなので十分な臭気遮断は難しい。次回の汚物収納は当該袋口を開口状態での汚物処理になるので、処理中は汚物臭が漏れ放題状態の中で猫汚物処理をしているのが現状である。
【発明の概要】
【発明が解決しようとする課題】
【０００３】従来の猫トイレ内の汚物処理は、汚物収納袋をトイレ箱外に置き収納袋口を手で開いて、猫砂を零さないよう注意しながら、猫トイレ用スッコプで収納袋に投入する。床等に猫砂を零すとハエ、ゴキブリの発生の元ともなり、衛生面にも良くない、汚物収納袋をトイレ箱内に置き汚物処理をすることが出来れば、処理の仕方としては楽になるが、収納袋置き部分が汚れるのでそれも出来ないという課題がある。【０００４】猫の、トイレ箱内の汚物処理で、大きな悩みは排泄臭である、汚物を猫トイレ用スッコプで掬うも、一回では掬いきれない場合いが多い、汚物処理をする間、汚物収納袋口は開いたままなので、汚物臭は漏出しているという、不快を感じながらの汚物処理する悩みが課題となっている。
【課題を解決するための手段】
【０００５】従来の汚物処理の課題を解決する方法として、猫トイレ箱に最短の位置での袋体の袋口の開閉が出来ること。迅速な汚物処理が可能なこと。使い勝手が良く臭気の漏出を最大限に抑え、小型の構造で移動が容易であること。【０００６】本発明では、前記の最短の位置とは猫トイレ箱の縁とした。収納袋袋体開閉部をトイレ箱内の縁部に設ける事で迅速な汚物処理を可能にする。袋体口は猫トイレ箱縁に設け、袋体部はトイレ箱外に出し、袋体底部は床等に置くことにより、袋に汚物等を入れても袋体がずれ下がりしないようにした。猫砂落下防止板も設ける。トイレ箱縁部への設置の仕方は上記部品をクリップ等と一体化して該クリップ等で縁部に取り付ける。【０００７】全体の構成は、猫トイレ箱縁に狭着させる為のクリップ等と、外枠と内枠とが交差して軸部によって可動可能に支持され、袋口の開閉が容易にでき、閉止時には密閉状態をもたらす、一対のコ字形状枠体と、クリップ等とコ字形状枠体とを係止させるＬ型板から構成されている、Ｌ型板は外枠受け止め部、猫砂落下防止板にも併用可能である。【０００８】本発明での袋体口の密閉方法は、外枠を可動させ閉止位置で閉止させると、一対のコ字形状枠体の閉止位置は交互して隣り合う、その隣り合った間に、ポリ袋等の袋周縁部を枠体によって密着状態に挟み込み、尚且つ外枠と外枠受け止め部により袋周縁部を直角以下に折り曲げることにより、密閉状態を作り出した。
【発明の効果】
【０００９】本発明の、猫トイレ箱縁立て汚物袋枠体ホルダーをトイレ箱縁部に取り付ける事により、袋体口は開閉自在なので、猫トイレ箱内の汚物を掬い取り、収納袋に投入寸前に汚物の大きさの分だけ素早く袋口を開けて、投入後袋口を素早く閉じる。閉止後は密閉になりその状態は保持出来るので、速やかな袋口開閉を小まめにする事により、排泄臭を感じる間を最小限に抑える事ができる。猫砂落下防止板も付いているので猫砂がトイレ箱外に零れない。【００１０】従来の猫汚物処理方法では、汚物処理を思い立つも、汚物臭や猫砂をトイレ外に零すなどが脳裏を過ぎると、億劫心が出て汚物処理をついつい後回し勝ちに成るがため、猫トイレ周りが不衛生になったりする。猫トイレ箱縁立て汚物袋枠体ホルダーを猫トイレ箱周縁部に設置利用することで上記の事柄が改善される。
【図面の簡単な説明】
【００１１】
【図１】本発明の第一実施形態に係わるものであって、猫トイレ箱縁に取り付けされた枠体ホルダーに、袋体がセットされ袋口が開口している斜視図。
【図２】本発明の第一実施形態に係わるものであって、猫トイレ箱縁に取り付けされた枠体ホルダーに、袋体がセットされ袋口が閉止している斜視図。
【図３】本発明の第一実施形態に係わるものであって、猫トイレ箱縁立て汚物袋枠体ホルダー斜視図。
【図４】本発明の第一実施形態に係わるものであって、袋口周縁部を枠体で挟めて、尚且つ直角に折り曲げている部分断面図。
【図５】本発明の第二実施形態に係わるものであって、袋口周縁部を枠体で複数箇所を直角に折り曲げている部分断面図。
【発明を実施するための形態】
【００１２】本発明に係わる（図１）（図２）（図３）の猫トイレ箱縁立て汚物袋枠体ホルダーの部品構成。１つはクリップ等、クリップ７は猫トイレ箱周縁部９に取り付けすることを目的とする。１つはコ字形状枠体、内枠２と一回り大きい外枠１とから成り立ち、一対の枠体となっている、夫々のコ字形状枠は交差し軸部５によって可動可能に支持されている、外枠１は可動枠に内枠２は固定枠になっている、枠体は袋体１０を設置する所であり、汚物投入口にもなり又、臭い漏出止めの役割をもしている。１つはＬ型板、Ｌ型板６は上記二つの部品を、上部にコ字形状枠体を下部にクリップ７を、これらの部品の中間部に位置して夫々を係止１３，１４する役割をし又、枠１枠２の閉止位置、外枠受け止め部１７ともなり（図２）（図４）、猫砂落下防止部６ａにも併用できる。枠体はコ字形状に限らずＵ字形状等々でも出来る。
【実施例１】
【００１３】猫トイレ箱縁立て汚物袋枠体ホルダーは、（図１）（図２）のように猫トイレ箱８に取り付けて、外枠１をハンドル部３で最大限に開口し、ストッパー部４で止めて置き（図１）、袋体１０を開口部の内側より通し、袋口周縁部１０ａを外側に２から３ｃｍ巾に折り曲げて外枠１と内枠２に被せて置く（図１）。袋体１０内部に手を差し入れ袋体１０全体を押し広げ、袋体１０の底部を床等に当接置きすることで、袋の立体を維持して袋内に物を入れても袋体周縁部１０ａに力が掛からないので、袋体１０を吊るしたり十分に抑える必要はない（図１）（図２）。汚物の入った袋体１０の取り外し方は、袋体周縁部１０ａより下の部分辺りを、手で絞込み軽く引くと外れる、後は絞り部を縛ると汚物臭はしない。
【実施例２】
【００１４】猫トイレ箱８内の汚物を、猫トイレ用スコップで掬い開閉口まで運び、ハンドル部３で袋口を適切幅に開口し（図１）汚物投入をし閉じる（図２）、一連の動作を素早くすることで、汚物臭を最低限に抑える事が出来る。汚物が袋体１０内に投入されると同時に、外枠１はハンドル部３で可動され袋口を閉じる（図２）。一対の枠体（外枠１と内枠２）の閉止位置は交互して隣り合う（図４）、隣り合った外枠１と内枠２の間にポリ袋等の袋類の袋体周縁部１０ａを外枠１と内枠２との間に密着状態に挟み込む、それと同時に、袋体周縁部１０ａを外枠と外枠受け止め部１７の間に挟んで袋体周縁部１０ａを直角１５にも折り曲げる（図４）、二段構えで汚物臭が漏出しない密閉状態を作り出している。
【符号の説明】
【００１５】１  外枠    １ａ  異形外枠    ２  内枠    ３  ハンドル部    ４  ストッパー部    ５  軸部    ６  Ｌ型板    ６ａ  Ｌ型板猫砂落下防止部    ７  クリップ    ８  猫トイレ箱    ９トイレ箱周縁部    １０  袋体    １０ａ  袋口周縁部    １１  床    １２  床と袋体の当接部    １３  ネジ結合部    １４  接着結合部    １５  直角部    １６  挟み込み部    １７  外枠受け止め部
【要約】
【課題】ビニール系袋等を利用して猫トイレ箱周縁部等に、汚物を入れる袋口を設けることで、トイレ箱内の汚物を素早く汚物収納袋に投入することができ、袋口閉止時には臭いが漏出しない密閉状態が保持できる、猫トイレ箱縁立て汚物袋枠体ホルダーの提供。
【解決手段】猫トイレ箱周縁部９に取り付けを目的とした取り付け具であるクリップ７と、内枠２と一回り大きい外枠１からなる一対のコ字形状枠体（外枠１、内枠２）が軸部（５）で開閉可能になっている袋口開閉保持枠体とが一体化した（図３）のを、猫トイレ箱周縁部に取り付ける。
【選択図】図１【図１】
0005559441.tif 000002
【図２】
0005559441.tif 000003
【図３】
0005559441.tif 000004
【図４】
0005559441.tif 000005
【図５】
0005559441.tif 000006